(57)【要約】【課題】閂を操作するための取手の操作性を保持しつつ、取手の突出を抑えることができる潜り戸を提供する。【解決手段】  扉体１と錠装置２とを備えた潜り戸Ｐであって、錠装置２は、扉体１の前側に配置された閂２１と、閂２１に取付けられた前側取手３と、扉体１の後側に配置された後側取手４と、扉体１に形成された貫通孔１１を貫通して閂２１及び後側取手４に取付けられた連結部材５とを備え、前側取手３と連結部材５とは、一方が閂２１に固定され、他方は閂２１に回動可能に取付けられるとともに、それぞれ閂２１と連動して移動するように構成する。【選択図】  図１
2018071102.tif 000002
【特許請求の範囲】
【請求項１】
扉体と錠装置とを備えた潜り戸であって、
前記錠装置は、前記扉体の前側に配置された閂と、
前記閂に取付けられた前側取手と、
前記扉体の後側に配置された後側取手と、
前記扉体に形成された前後方向に貫通する貫通孔を貫通して前記閂及び前記後側取手に取付けられた連結部材とを備え、
前記前側取手と前記連結部材とは、一方が閂に固定され、他方は前記閂に回動可能に取付けられるとともに、それぞれ閂と連動して移動するようになされたことを特徴とする潜り戸。
【請求項２】
前記後側取手は、下方向に向けて配置された閉じた状態と、前記扉体の形成面方向と交差する開いた状態とを変更可能に連結部材に取付けられていることを特徴とする請求項１に記載の潜り戸。
【請求項３】
前記扉体は、少なくともその側端部に枠材を備え、前記枠材は、前記閂が通過する貫通孔を有し、前記枠材の外側の貫通孔から、前記閂の先端部が出入するようになされたことを特徴とする請求項１又は２に記載の潜り戸。
【発明の詳細な説明】
【技術分野】
【０００１】
本発明は、仮囲いパネル及び塀に関するものであり、さらに詳しくは、建設土木現場における建築物の建設・補修・解体作業時に発生する騒音、工事用部材の外部への落下、あるいは解体物の飛散など、様々な周囲への影響や被害を防止するために仮設される囲いにおいて、作業車等が出入りする引戸に設けられる潜り戸に関する。
【背景技術】
【０００２】
一般に、建築工事現場、解体工事現場においては、建築物の周囲を仮囲いパネルで覆い、工事に伴う騒音や、解体物の飛散等、外部への影響を抑えている。また、建築物で実施される作業、例えば、溶接作業の火花等が外部から見えないように遮る効果もある。このような仮設の囲いにおいて、工事用の専用車両が出入りする出入口は一般には開口幅が広いので、その出入り口を開閉するための引戸も長いものが用いられており、埃の飛散や騒音の漏れも防ぐために複数の板状の扉体を幅方向に折り曲げ可能に連結された、いわゆる折り戸タイプの引戸が多く用いられている。
【０００３】
このような引戸においては、閉鎖時においても、作業者等の関係者が現場内に出入りできるように、潜り戸を設けることがある。通常は、現場側と反対側にそれぞれ取手を設けて、作業者はどちら側からでも取手を操作して潜り戸を開けて通行可能な形態がのぞまれている。一方、工事完了後は引戸を分解して、所定の場所で保管したり、別の工事現場で使用したりするので、保管時の収納効率や、輸送時の積載効率を考慮すれば、潜り戸では、突出寸法の少ない取手が望まれている。
【０００４】
例えば、錠として閂を利用し、閂に一体的に取手を設けることによって、通常時は、取手を下向きに配置して扉体からの突出寸法を少なくし、扉体を開ける時は、取手を引き上げれば、作業者はしっかり取手を掴んで閂を操作することができる。しかしながら、このような閂を利用した場合、扉体の片面しか設置することができず、扉体の両面からでも閂を操作することが困難であった。
【０００５】
また、特許文献１には、支持側支柱にヒンジを介して縦軸回り回動自在に取付けられたフェンス用門扉の施錠装置において、門扉の網体と枠杆の表裏面にそれぞれ表補強板と裏補強板とが固定され、前記表補強板に一対の閂案内片が固定され、前記閂案内片の案内孔に横方向摺動自在に閂が嵌合され、表裏方向で互いに重なった前記網体、表補強板および裏補強板に亘って一本の横長孔が貫通穿設され、閂の表側には表操作片がまた裏側には裏操作片が突設され、この裏操作片は前記横長孔に摺動自在に貫通嵌合されたフェンス用門扉の表裏両面施錠装置が開示されている。これにより、人がフェンスの内側に居る状態でも施錠する必要がある場合に、迅速に対処することができる。
【先行技術文献】
【特許文献】
【０００６】
【特許文献１】実公平７−２３５１８号公報
【発明の概要】
【発明が解決しようとする課題】
【０００７】
ところで、特許文献１の門扉の施錠装置においては、閂の表側には表操作片がまた裏側には裏操作片が突設されているので、操作性を良くするには突設寸法を大きくする方がよいが、使用しない時には、表操作片、裏操作片が通行人の邪魔になり、また、保管時や輸送時においては、操作片が他の部材と干渉するおそれがあった。
【０００８】
本発明は、閂を操作するための取手の操作性を保持しつつ、取手の突出を抑えることができる潜り戸を提供するものである。
【課題を解決するための手段】
【０００９】
上記目的を達成するために、本発明は次のような構成としている。
すなわち本発明に係る潜り戸は、扉体と錠装置とを備えた潜り戸であって、前記錠装置は、前記扉体の前側に配置された閂と、前記閂に取付けられた前側取手と、前記扉体の後側に配置された後側取手と、前記扉体に形成された前後方向に貫通する貫通孔を貫通して前記閂及び前記後側取手に取付けられた連結部材とを備え、前記前側取手と前記連結部材とは、一方が閂に固定され、他方は前記閂に回動可能に取付けられるとともに、それぞれ閂と連動して移動するようになされたことを特徴とするものである。
【００１０】
本発明において、前記後側取手は、下方向に向けて配置された閉じた状態と、前記扉体の形成面方向と交差する開いた状態とを変更可能に連結部材に取付けられていることが好ましい。
【００１１】
また、本発明において、前記扉体は、少なくともその側端部に枠材を備え、前記枠材は、前記閂が通過する貫通孔を有し、前記枠材の外側の貫通孔から、前記閂の先端部が出入するようになされていることが好ましい。
【発明の効果】
【００１２】
本発明によれば、錠装置の前側取手と連結部材とは、一方が前記閂に固定され、他方は前記閂に回動可能に軸支されるとともに、互いに閂に連動して移動するようになされているので、前側取手でも後側取手でも閂の操作がスムーズに行うことが可能となり、操作が終了した時は、前側取手を下方に向けることができるので、前側取手が突出することはなく邪魔になることがない。
【００１３】
本発明において、後側取手は、下方向に向けて配置された閉じた状態と、前記扉体の形成面方向と交差する開いた状態とを変更可能に連結部材に取付けられているようにすれば、閂の操作が終了した時は、前側取手及び後側取手がいずれも下向きに配置することができるので、使用しない時は両取手が突出することなく邪魔になることがない。
【００１４】
また、本発明において、扉体は、少なくともその側端部に枠材を備え、前記枠材は、前記閂が通過する通過孔を有し、前記枠材の外側の通過孔から、前記閂の先端部が出入するようになされていれば、通過孔を閂のガイドとして利用することができるので、閂を横方向にスムーズに移動させることができる。
【図面の簡単な説明】
【００１５】
【図１】本発明に係る潜り戸を用いた門扉の実施の一形態を示す概略斜視図である。
【図２】図１において本発明に係る潜り戸付近の拡大正面図である。
【図３】図２において潜り戸を省略した状態を示す説明図である。
【図４】図１において本発明に係る潜り戸付近の拡大背面図である。
【図５】図２のＡ−Ａ線における主要部の拡大断面図である。
【図６】図２の錠装置の拡大正面図である。
【図７】図２の錠装置の説明図である。
【図８】図２の錠装置の説明図である。
【図９】図３の錠装置の説明図である。
【発明を実施するための形態】
【００１６】
次に、本発明を実施するための最良の形態について図面を参照し、具体的に説明する。
【００１７】
図１は本発明に係る潜り戸を用いた門扉の実施の一形態を示す概略斜視図、図２は図１において本発明に係る潜り戸付近の拡大正面図、図３は図２において潜り戸を省略した状態を示す説明図、図４は図１において本発明に係る潜り戸付近の拡大背面図、図５は図２のＡ−Ａ線における主要部の断面図である。
【００１８】
本形態にかかる潜り戸Ｐは、扉体１と錠装置２とを備え、錠装置２は、扉体１の前側に配置された閂２１と、閂２１に取付けられた前側取手３と、扉体１の後側に配置された後側取手４と、扉体１に形成された前後方向に貫通する貫通孔１１を貫通して閂２１及び後側取手４とを連結する連結部材５とを備えており、潜り戸Ｐは引戸Ｑに取付けられており、引戸Ｑを閉止した状態であっても、潜り戸Ｐを開ければ行き来が可能となされている。
【００１９】
扉体１は、金属、合成樹脂、木材、紙、セメントなどの無機材料、あるいはこれらの複合材料により作製したものでもよく、必要に応じてガラスウールやロックウールなどの吸音材を備えるようにしたものでもよい。本形態では、合成樹脂からなるシート状の芯材の両面に金属板が貼着されて金属板、芯材、金属板の順に積層されて接着層を介して接着されたものであって、軽量で遮音性能に優れたものとなり好ましい。芯材の厚さは、成型性、強度、取り扱い性等を考慮すると１〜１０ｍｍが好ましく、更には１〜５ｍｍが更に好ましい。また金属板の厚さは、重量、加工性、取り扱い等を考慮すると０．０５〜１ｍｍが好ましい。
【００２０】
次に、潜り戸Ｐと引戸Ｑとの関係について、更に詳しく説明する。引戸Ｑは、図１に示すように、複数のパネル体６を有しており、また図３に示すように、パネル体６の少なくともひとつに通行人が通行可能な通行空間６１が設けられ、通行空間６１に潜り戸Ｐが配置されている。潜り戸Ｐは、図２，図４に示すように、扉体１の両側端部に枠材１２，１３が取付けられており、一方の枠材１２がヒンジ（図示せず）を介してパネル体６に連結されて当該ヒンジを軸として開閉可能となされている。なお、本形態において、引戸Ｑは、複数のパネル体６が幅方向に連結されてその連結箇所で折り曲げ可能となされた、いわゆる折り戸型であるが、本形態に限定されるものではない。
【００２１】
他方の枠材１３は、錠装置２の閂２１が貫通可能な貫通孔１４を有しており、閂２１を長手方向の横方向に移動させることによって、貫通孔１４を通して枠材１３から外方に向けて出し入れすることができる。一方、パネル体６は、通行空間６１の側端部に沿って枠体６２が取付けられており、枠体６２には、潜り戸Ｐを閉めた際に枠材１３の貫通孔１４と対向する位置に閂２１の先端部が挿入可能な係止孔６３が設けられている。これにより、閂２１の先端部が係止孔６３に挿入された状態では潜り戸Ｐは閉止され、係止孔６３から抜き出した状態では潜り戸Ｐを開くことができる。なお、本形態では、パネル体６は、板材とそれを支持する外周枠とを備えており、板材を外して通行空間６１とし、外周枠を枠体６２として用いたものであるが、この形態に限定されるものではない。
【００２２】
閂２１は、本形態では断面円形状の棒体である。そして、その長手方向に対して交差する方向に向けて取付けられた前側取手３を有している。前側取手３は、本形態では、閂２１に対する突出方向に長く、閂２１の長手方向に短く形成された薄板状である。
【００２３】
次に、錠装置２において、扉体１より前側の構造について詳しく説明する。図４に示すように、錠装置２の閂２１は、扉体１に固定された前側固定板７を介して扉体１の前側に取付けられている。前側プレート７は、閂２１の長手方向に沿って延びる板状の基部７１と、基部７１の長手方向の両端部から前側に向けて立ち上がる一対の立上り部７２とを有しており、両側の立上り部７２，７２は、閂２１が貫通する貫通孔７３を有している。両貫通孔７３、７３に閂２１が貫通することによって、閂２１は前側プレート７に取付けられて、横方向に移動可能となる。
【００２４】
続いて、連結部材５は、閂２１の長手方向に対して回動可能に取付けられた前軸部５１と、扉体１を前後方向に貫通する横板部５２とを備えている。本形態では、前軸部５１は円筒状であって、その内部空間内に閂２１が貫通して配置されている。横板部５２は、前軸部５１の後部から後方に向けて突出して形成されており、前側プレート７の基部７１に形成された貫通孔７４と扉体１の貫通孔１１を前後方向に貫通して配置されている。
【００２５】
図６は図２の錠装置２付近の拡大正面図である。前側プレート７の基部７１に対して、立上り部７２、７２の間に連結部材５の前軸部５１が配置されている。更に、連結部材５の前軸部５１は、閂２１が貫通している内部空間が露出している切欠部５３を有しており、切欠部５３を通じて、前側取手３が閂２１に取付けられている。
【００２６】
これにより、閂２１の横方向の移動に対しては、閂２１、前側取手３、連結部材５は一体的に移動させることができるので、前側取手３を操作して、閂２１を横方向に移動させて、閂２１によりパネル体６に対して潜り戸Ｐが閉止された状態と、潜り戸Ｐを開閉操作可能な状態とすることができる。また、前側取手３は、連結部材５に対して独立して、稼働させることが可能となり、かつ、下向きに下ろした状態から引き上げて扉体１との交差角度を大きくし、また、それを元の下向きに落とした状態にすることが可能となる。
【００２７】
貫通孔７４は、基部７１の中央付近の上下幅の大きい主貫通部７４ａと、主貫通部７４ａの両側端部から立上り部７２側に向かって形成された上下幅の小さい側部貫通部７４ｂを有している。側部貫通部７４ｂは、連結部５の横板部５２は通過可能であるが、前軸部５１は前後方向に通過不能となされている。
【００２８】
次に、錠装置２において、扉体１より後側の構造について詳しく説明する。錠装置２の後側取手４は、連結部材５に取付けられている。本形態では、後側取手４の一端部に設けられた円筒状の軸部４１が閂２１の長手方向に対して離間して配置されており、連結部材５の横板部５２に設けられた円筒状の後軸部５４が、軸部４１，４１の間に配置され、それぞれの内部を貫通する棒状の軸体４２を軸として回動可能に連結されている。
【００２９】
これにより、後側取手４は、連結部材５と独立して、扉体１とほぼ平行な下向きに下ろした状態から、それを引き上げて、扉体１との交差角度を大きくし、また、それを元の下向きに落とした状態にすることが可能となる。つまり、前側取手３及び後側取手４は、連結部材５に対して、それぞれ独立して可動させることができるので、使用しない時は、前側取手３及び後側取手４を下向きに下ろしておけば、作業者や通行人が潜り戸Ｐ付近を通行しても、前側取手３や後側取手４と接触するような不具合は起こりにくくなる。
【００３０】
更に、設置場所において、工事等の作業が終了して門扉Ｑを分解して輸送したり、そのまま保管したりする場合は、前側取手３及び後側取手４を下向きに下ろした状態としておけば、嵩張ることがなく好ましい。具体的には、例えば、扉体１の前面から潜り戸Ｐの枠材１２，１３の前後方向の先端までの内部空間に下向きに下ろした前側取手３が収まるようにするとともに、下向きに下ろした後側取手４も前記内部空間に収まる程度の扉体１の後面から後側への突出寸法となるようにしておけばよい。このようにすれば、引戸Ｑを折り畳んだ場合であっても、潜り戸Ｐが取付けられたパネル体６の錠装置２がその他のパネル体６と干渉しにくくなり好ましい。
【００３１】
また、連結部材５の前軸部５１の横方向の可動範囲は前側プレート７の立上り部７２、７２によって規制されおり、連結部材５と連動する後側取手４を操作すれば、すなわち、後側取手４を横方向に動かせば、閂２１が視認できない後側から操作しても、閂２１を横方向に移動させて、閂２１によりパネル体６に対して潜り戸Ｐが閉止された状態と、潜り戸Ｐを開閉操作可能な状態とすることができる。
【００３２】
更に、本形態では、扉体１と後側取手４との間に後側プレート８を配置されている。後側固定板８は、本形態では、縦板状であって、その一辺から反対側に向けて横長に切り欠かれたガイド部８１を有している。ガイド部８１内に連結部材５の横板部５２を通し、ガイド部８１の形成方向を閂２１の長手方向に合わせて、後側プレート８を扉体１に固定することによって、連結部５の横板部５２がガイド部８１内で横方向にスムーズに移動させやすくなる。
【００３３】
次に潜り戸Ｐの操作方法について詳しく説明する。まず、作業者が潜り戸Ｐの前側にいて開閉する場合について説明する。図７は図２において錠装置２が施錠された状態の説明図であって、（ａ）は正面図、（ｂ）は（ａ）のＢ−Ｂ線における断面図である。また、は、潜り戸Ｐが閉じられた状態を示すものである。閂２１は、パネル体６の枠体６２の係止孔６３に挿入されており、潜り戸Ｐが開かない状態となっている。更に、閂２１に取付けられた前側取手３は、下方向に向いており、扉体１に取付けられた錠受け部材１５と錠１６によって施錠されている。具体的には、前側取手３の先端部は折り曲げられて錠１６が取付けられる上錠受け部３３が設けられた断面略Ｌ字状に形成されている。錠受け部材１５は、上錠受け部３３の下方の相対向する位置に下錠受け部１７を有している。上錠受け部３３及び下錠受け部１６にそれぞれ上下方向に貫通する貫通孔３３ａ、１７ａが形成されており、錠１６が通されて施錠されている。
【００３４】
図８は前側取手３を解錠した状態を示す説明図である。作業者は、錠１６を解錠して外せば前側取手３を操作可能となる。続いて、前側取手３を操作して、閂２１を係止孔６３から引き抜くと、潜り戸Ｐを開くことができる。潜り戸Ｐを閉めて施錠する場合は、これと逆の操作をすればよい。
【００３５】
図９は図３において錠装置２の説明図である。作業者が、潜り戸Ｐの後側から開閉する場合については、扉体１の後側に取付けられた錠受け部材１５によって後側取手４を施錠できることは同様であり、また、閂２１の施錠及び解錠については、後側取手４を操作することによって、閂２１が連動して上記と同様な操作をすることができるので、詳しい説明は省略する。
【００３６】
以上、本発明に係る潜り戸Ｐについて、実施形態に基づいて説明したが、本発明は、これらの実施形態に限定されるものではない。本発明の要旨を逸脱しない範囲内で当業者が思いつく各種変形を施したものも本発明の範囲内に含まれる。
【００３７】
例えば、本形態では、閂２１に対して、前側取手３を固定し、連結部材５は閂２１に対して回動可能に接続しているが、前側取手３を閂２１に対して回動可能に接続し、連結部材５を閂２１に固定した形態であっても、上記と同様な効果を得ることができる。
【産業上の利用可能性】
【００３８】
本発明は、引戸を設置する場合に、閉鎖した後でも扉体から通過することができる潜り戸として広く利用することができる。
【符号の説明】
【００３９】
１    扉体
１１  貫通孔
１２、１３  枠材
１４  貫通孔
１５  錠受け部材
２    錠装置
２１  閂
３    前側取手
４    後側取手
４１  軸部
４２  軸体
５    連結部材
５１  前軸部
５２  横板部
５３  切欠部
５４  後軸部
６    パネル体
６１  通行空間
６２  枠体
６３  係止孔
７    前側プレート
７１  基部
７２  立上り部
７３  貫通孔
７４  貫通孔
７４ａ  主貫通部
７４ｂ  側部貫通部
８    後側プレート
８１  ガイド部
Ｐ    潜り戸
Ｑ    引戸
【図１】
2018071102.tif 000003
【図２】
2018071102.tif 000004
【図３】
2018071102.tif 000005
【図４】
2018071102.tif 000006
【図５】
2018071102.tif 000007
【図６】
2018071102.tif 000008
【図７】
2018071102.tif 000009
【図８】
2018071102.tif 000010
【図９】
2018071102.tif 000011